(57)【要約】      （修正有）【課題】分岐側電線の電線用スペーサにおける幹線側電線と分岐側電柱の両側において、動揺による断線を防止する分岐側電線支持方法を提供する。【解決手段】第１幹線側電柱と第１幹線側電柱に隣り合う第２幹線側電柱との間に架設された幹線側電線から分岐するとともに分岐側電柱との間に架設される分岐側電線７Ｕ、７Ｖ、７Ｗを、メッセンジャワイヤ９Ａ、９Ｂを介して第１幹線側電柱と第２幹線側電柱との間における幹線側電線の下側に設置される電線用スペーサ８を用いて支持する分岐側電線支持方法であって、第１引留グリップ１１Ｄ、１１Ｆ、１１Ｈを、電線用スペーサに引き回した後に、幹線側電線と電線用スペーサとの間に介在する分岐側電線に巻き付けて固定する第１行程と、第２引留グリップ１１Ｃ、１１Ｅ、１１Ｇを、電線用スペーサに引き回した後に、分岐側電柱と電線用スペーサとの間に介在する分岐側電線に巻き付けて固定する第２行程と、を含む。【選択図】図４
2017038468.tif 000002
【特許請求の範囲】
【請求項１】
第１幹線側電柱と前記第１幹線側電柱に隣り合う第２幹線側電柱との間に架設された幹線側電線から分岐するとともに分岐側電柱との間に架設される分岐側電線を、メッセンジャワイヤを介して前記第１幹線側電柱と前記第２幹線側電柱との間における前記幹線側電線の下側に設置される電線用スペーサを用いて支持する分岐側電線支持方法であって、
第１引留グリップを、前記電線用スペーサに引き回した後に、前記幹線側電線と前記電線用スペーサとの間に介在する前記分岐側電線に巻き付けて固定する第１行程と、
第２引留グリップを、前記電線用スペーサに引き回した後に、前記分岐側電柱と前記電線用スペーサとの間に介在する前記分岐側電線に巻き付けて固定する第２行程と、
を含むことを特徴とする分岐側電線支持方法。
【請求項２】
前記第１行程において、前記第１引留グリップを、前記電線用スペーサに対してＵ字状に引き回した後に、前記幹線側電線と前記電線用スペーサとの間に介在する前記分岐側電線に対してねじられた形状を呈する両端を編み込むように巻き付けて固定し、
前記第２行程において、前記第２引留グリップを、前記電線用スペーサに対してＵ字状に引き回した後に、前記分岐側電柱と前記電線用スペーサとの間に介在する前記分岐側電線に対してねじられた形状を呈する両端を編み込むように巻き付けて固定する
ことを特徴とする請求項１に記載の分岐側電線支持方法。
【請求項３】
前記第１行程及び前記第２行程は、複数の前記分岐側電線の夫々に対して行われる
ことを特徴とする請求項１又は請求項２に記載の分岐側電線支持方法。
【請求項４】
前記第１引留グリップ及び前記第２引留グリップを前記電線用スペーサに対して隣接して引き回す
ことを特徴とする請求項３に記載の分岐側電線支持方法。
【請求項５】
前記電線用スペーサは、高分子材料からなるポリマースペーサである
ことを特徴とする請求項１乃至請求項４の何れか一項に記載の分岐側電線支持方法。
【請求項６】
前記分岐側電線は、アルミ絶縁電線である
ことを特徴とする請求項１乃至請求項５の何れか一項に記載の分岐側電線支持方法。
【請求項７】
前記幹線側電線は、３相の配電線であり、
前記分岐側電線は、前記３相の配電線のそれぞれから分岐する３本の分岐線、又は、前記３相の配電線の何れか２本から分岐する２本の分岐線である
ことを特徴とする請求項１乃至請求項６の何れか一項に記載の分岐側電線支持方法。
【発明の詳細な説明】
【技術分野】
【０００１】
本発明は、分岐側電線支持方法に関する。
【背景技術】
【０００２】
２本の隣り合う幹線側電柱の間に架設された幹線側電線から分岐するとともに分岐側電柱との間に架設される分岐側電線を、メッセンジャワイヤを介して２本の幹線側電柱の間における幹線側電線の下側に設置される電線用スペーサを用いて支持する方法が知られている（例えば特許文献１）。
【先行技術文献】
【特許文献】
【０００３】
【特許文献１】特開２００３−３２８６３号公報
【発明の概要】
【発明が解決しようとする課題】
【０００４】
分岐側電柱と電線用スペーサとの間の距離は、幹線側電線と電線用スペーサとの間の距離に比べて長く設定されている。そのため、分岐側電柱と電線用スペーサとの間に介在する分岐側電線は、動揺の影響を受けて金属疲労を生じ、そのまま放置しておくと断線する虞がある。そこで、分岐側電柱と電線用スペーサとの間に介在する分岐側電線が動揺の影響を受け難くなるように、分岐側電柱の側に位置する分岐側電線と電線用スペーサとの間に引留グリップを巻き付けている。一方、幹線側電線と電線用スペーサとの間の距離は比較的短いため、幹線側電線の側に位置する分岐側電線と電線用スペーサとの間には引留グリップを巻き付けていない。しかしながら、幹線側電線と電線用スペーサとの間に介在する分岐側電線は、引留グリップを巻き付けないことに起因して、設置環境によっては断線する虞がある。
【０００５】
そこで、本発明は、分岐側電線が動揺に起因して電線用スペーサにおける幹線側電線の側と分岐側電柱の側との両側において断線することを防止できる分岐側電線支持方法を提供することを目的とする。
【課題を解決するための手段】
【０００６】
前述した課題を解決する主たる本発明は、第１幹線側電柱と前記第１幹線側電柱に隣り合う第２幹線側電柱との間に架設された幹線側電線から分岐するとともに分岐側電柱との間に架設される分岐側電線を、メッセンジャワイヤを介して前記第１幹線側電柱と前記第２幹線側電柱との間における前記幹線側電線の下側に設置される電線用スペーサを用いて支持する分岐側電線支持方法であって、第１引留グリップを、前記電線用スペーサに引き回した後に、前記幹線側電線と前記電線用スペーサとの間に介在する前記分岐側電線に巻き付けて固定する第１行程と、第２引留グリップを、前記電線用スペーサに引き回した後に、前記分岐側電柱と前記電線用スペーサとの間に介在する前記分岐側電線に巻き付けて固定する第２行程と、を含む。
【０００７】
本発明の他の特徴については、添付図面及び本明細書の記載により明らかとなる。
【発明の効果】
【０００８】
本発明によれば、分岐側電線が動揺に起因して電線用スペーサにおける幹線側電線の側と分岐側電柱の側との両側において断線することを防止できる。
【図面の簡単な説明】
【０００９】
【図１】本実施形態に係る分岐側電線支持方法が採用される配電系統の一例を示す斜視図である。
【図２】本実施形態に係る分岐側電線支持方法に用いられる電線用スペーサの一例を示す斜視図である。
【図３】本実施形態に係る分岐側電線支持方法に用いられる引留グリップの一例を示す平面図である。
【図４】本実施形態に係る分岐側電線支持方法に用いられる電線用スペーサに引留グリップを取り付けた様子を示す斜視図である。
【図５】本実施形態に係る分岐側電線支持方法に用いられる電線用スペーサに引留グリップを取り付けた様子を示す側面図である。
【発明を実施するための形態】
【００１０】
本明細書および添付図面の記載により、少なくとも以下の事項が明らかとなる。
【００１１】
＝＝＝配電系統＝＝＝
図１は、本実施形態に係る分岐側電線支持方法が採用される配電系統の一例を示す斜視図である。尚、説明の便宜上、幹線側電柱は２本、分岐側電柱は１本のみ示すこととし、幹線側電線は３相（Ｕ相、Ｖ相、Ｗ相）のアルミ絶縁電線からなる配電線であることとし、分岐側電線は幹線側電線の夫々から分岐する３相（Ｕ相、Ｖ相、Ｗ相）のアルミ絶縁電線からなる配電線であることとする。又、Ｘ軸は隣り合う二本の幹線側電柱の間に幹線側電線を架設する方向に沿う軸であり、Ｙ軸は水平方向においてＸ軸に直交する軸であり、Ｚ軸は幹線側電柱と分岐側電柱が立設する方向（Ｘ軸及びＹ軸から形成されるＸＹ平面に直交する垂直方向）に沿う軸である。
【００１２】
以下、図１を参照しつつ、配電系統について説明する。
【００１３】
道路上に幹線側電柱を立設することが設置上困難である場合、当該道路から離れた位置に分岐側電柱を立設し、既設の幹線側電柱に架設されている幹線側電線から分岐側電線を分岐し、分岐側電柱に分岐側電線を架設する必要がある。本実施形態における配電系統１は、このような分岐側電柱と分岐側電線を含んで構成される系統である。
【００１４】
配電系統１は、幹線側電柱２Ａ，２Ｂ、腕金３Ａ，３Ｂ、幹線側電線４（４Ｕ，４Ｖ，４Ｗ）、分岐側電柱５、腕金６、分岐側電線７（７Ｕ，７Ｖ，７Ｗ）、電線用スペーサ８、メッセンジャワイヤ９を含んで構成される。
【００１５】
幹線側電柱２Ａ，２Ｂは、幹線側電線４の架設方向（Ｘ方向）に沿って距離Ｌ１だけ離れた道路上の所定位置に立設されている。幹線側電柱２Ａの上端には、幹線側電柱２Ａの立設方向（Ｚ方向）及び幹線側電線４の架設方向（Ｘ方向）の双方に直交する方向（Ｘ軸及びＺ軸から形成されるＸＺ平面に直交するＹ方向）に延在する腕金３Ａが取り付けられている。同様に、幹線側電柱２Ｂの上端には、幹線側電柱２Ｂの立設方向（Ｚ方向）及び幹線側電線４の架設方向（Ｘ方向）の双方に直交する方向（Ｙ方向）に延在し、腕金３Ａに対して平行な状態で対向する腕金３Ｂが取り付けられている。そして、幹線側電線４は、幹線側電柱２Ａ，２Ｂが立ち並ぶ方向（Ｘ方向）に沿って架設されるように、腕金３Ａ，３Ｂの間に取り付けられている。分岐側電柱５は、上記の道路から離れた所定位置に立設されている。分岐側電柱５の上端には、分岐側電柱５の立設方向（Ｚ方向）及び腕金３Ａ，３Ｂの延在方向（Ｙ方向）の双方に直交する方向（Ｙ軸及びＺ軸から形成されるＹＺ平面に直交するＸ方向）に延在する腕金６が取り付けられている。そして、幹線側電線４の夫々から分岐する分岐側電線７は、幹線側電線４と交差する方向に沿って架設されるように、腕金６に取り付けられている。電線用スペーサ８は、分岐側電線７が動揺の影響を受けても断線しなくなるように、幹線側電線４及び分岐側電柱５の間の空中空間において分岐側電線７を支持する部材である。メッセンジャワイヤ９Ａ，９Ｂは、例えば亜鉛めっき鋼撚り線を用いて形成されている。メッセンジャワイヤ９Ａの一端は幹線側電柱２Ａにおける腕金３Ａの下方位置に固定され、メッセンジャワイヤ９Ａの他端は電線用スペーサ８の一端に固定されている。同様に、メッセンジャワイヤ９Ｂの一端は幹線側電柱９Ｂにおける腕金３Ｂの下方位置に固定され、メッセンジャワイヤ９Ｂの他端は電線用スペーサ８の他端に固定されている。このようにして、電線用スペーサ８は、メッセンジャワイヤ９Ａ，９Ｂを介して幹線側電柱２Ａ，２Ｂの間における幹線側電線４の下側に設置される。尚、電線用スペーサ８の具体的な構造については後述する。
【００１６】
＝＝＝電線用スペーサ＝＝＝
図２は、本実施形態に係る分岐側電線支持方法に用いられる電線用スペーサの一例を示す斜視図である。
【００１７】
以下、図２を参照しつつ、電線用スペーサについて説明する。
【００１８】
電線用スペーサ８は、例えばポリマー（高分子）を材料として形成される円柱形状を呈するポリマースペーサである。電線用スペーサ８の一端には、メッセンジャワイヤ９Ａの他端を加工して形成された孔１０Ａに引っ掛けるためのフック８Ａが形成され、電線用スペーサ８の他端には、メッセンジャワイヤ９Ｂの他端を加工して形成された孔１０Ｂに引っ掛けるためのフック８Ｂが形成されている。そして、電線用スペーサ８の両端はメッセンジャワイヤ９Ａ，９Ｂによって実質的に均等な力で引っ張られ、電線用スペーサ８は幹線側電柱２Ａ，２Ｂの間の空中空間において幹線側電線４の架設方向（Ｘ方向）に沿って幹線側電線４の下方位置に設置されることとなる。
【００１９】
電線用スペーサ８の外周面には、電線用スペーサ８の断面（ＹＺ平面）に沿って当該外周面を１周する６個のＵ字状の溝８Ｃ〜８Ｈが形成されている。溝８Ｃ，８Ｄは、分岐側電線７Ｕを支持する際に用いられる溝であって、フック８Ａに近い位置に隣接して形成されている。溝８Ｅ，８Ｆは、分岐側電線７Ｖを支持する際に用いられる溝であって、電線用スペーサ８の中央付近の位置に隣接して形成されている。溝８Ｇ，８Ｈは、分岐側電線７Ｗを支持する際に用いられる溝であって、フック８Ｂに近い位置に隣接して形成されている。
【００２０】
＝＝＝引留グリップ＝＝＝
図３は、本実施形態に係る分岐側電線支持方法に用いられる引留グリップの一例を示す平面図である。
【００２１】
以下、図３を参照しつつ、引留グリップについて説明する。
【００２２】
引留グリップ１１は、電線用スペーサ８を用いて分岐側電線７を支持する際に電線用スペーサ８と分岐側電線７との間を中継する部材である。引留グリップ１１は、例えば亜鉛メッキ鋼撚り線から形成され、Ｕ字状に折り曲げられた折曲部１１Ａと、折曲部１１Ａから同一方向に延在する一対の巻付部１１Ｂと、を含んで構成されている。一対の巻付部１１Ｂの撚り度合は、折曲部１１Ａの撚り度合に比べて粗くなっている。尚、６個の引留グリップ１１（１１Ｃ〜１１Ｈ）は、夫々、６個の溝８Ｃ〜８Ｈに対応している。そして、電線用スペーサ８を用いて分岐側電線７を支持する場合、各引留グリップ１１の折曲部１１Ａを溝８Ｃ〜８Ｈに引き回した後、一対の巻付部１１Ｂが延在する方向に位置する分岐側電線７に対して一対の巻付部１１Ｂを編み込むように螺旋状に巻き付ければよい。これによって、分岐側電線７は、引留グリップ１１を中継部材として電線用スペーサ８と接続され、電線用スペーサ８に支持されることとなる。
【００２３】
＝＝＝引留グリップの取付例＝＝＝
図４は、本実施形態に係る分岐側電線支持方法に用いられる電線用スペーサに引留グリップを取り付けた様子を示す斜視図である。図５は、本実施形態に係る分岐側電線支持方法に用いられる電線用スペーサに引留グリップを取り付けた様子を示す側面図である。尚、図５は、電線用スペーサ８を＋Ｘ方向から−Ｘ方向に向かって見た側面図であって、引留グリップ１１Ｇ，１１Ｈを取り付けた様子を示していることとする。
【００２４】
以下、図４及び図５を参照しつつ、幹線側電柱２Ａ，２Ｂの間の空中空間に設置されている電線用スペーサ８に対して引留グリップ１１を取り付ける手順の一例について説明する。
【００２５】
先ず、引留グリップ１１Ｃの折曲部１１Ａが幹線側電線４に対向するとともに引留グリップ１１Ｃの一対の巻付部１１Ｂが分岐側電柱５の方向に延在するように、引留グリップ１１Ｃを電線用スペーサ８の溝８Ｃに引き回して密着させる。次に、電線用スペーサ８及び分岐側電柱５の間に介在する分岐側電線７Ｕを一対の巻付部１１Ｂの間に配置する。次に、分岐側電線７Ｕに対して一対の巻付部１１Ｂを編み込むように螺旋状に巻き付ける。同様にして、引留グリップ１１Ｄの折曲部１１Ａが分岐側電柱５に対向するとともに引留グリップ１１Ｄの一対の巻付部１１Ｂが幹線側電線４の方向に延在するように、引留グリップ１１Ｄを電線用スペーサ８の溝８Ｄに引き回して密着させる。次に、電線用スペーサ８及び幹線側電線４の間に介在する分岐側電線７Ｕを一対の巻付部１１Ｂの間に配置する。次に、分岐側電線７Ｕに対して一対の巻付部１１Ｂを編み込むように螺旋状に巻き付ける。この取付作業を行うことによって、分岐側電線７Ｕは、電線用スペーサ８における幹線側電線４の側と分岐側電柱５の側との両側に引留グリップ１１Ｃ，１１Ｄが取り付けられた状態で、電線用スペーサ８に支持されることとなる。
【００２６】
又、引留グリップ１１Ｅの折曲部１１Ａが幹線側電線４に対向するとともに引留グリップ１１Ｅの一対の巻付部１１Ｂが分岐側電柱５の方向に延在するように、引留グリップ１１Ｅを電線用スペーサ８の溝８Ｅに引き回して密着させる。次に、電線用スペーサ８及び分岐側電柱５の間に介在する分岐側電線７Ｖを一対の巻付部１１Ｂの間に配置する。次に、分岐側電線７Ｖに対して一対の巻付部１１Ｂを編み込むように螺旋状に巻き付ける。同様にして、引留グリップ１１Ｆの折曲部１１Ａが分岐側電柱５に対向するとともに引留グリップ１１Ｆの一対の巻付部１１Ｂが幹線側電線４の方向に延在するように、引留グリップ１１Ｆを電線用スペーサ８の溝８Ｆに引き回して密着させる。次に、電線用スペーサ８及び幹線側電線４の間に介在する分岐側電線７Ｖを一対の巻付部１１Ｂの間に配置する。次に、分岐側電線７Ｖに対して一対の巻付部１１Ｂを編み込むように螺旋状に巻き付ける。この取付作業を行うことによって、分岐側電線７Ｖは、電線用スペーサ８における幹線側電線４の側と分岐側電柱５の側との両側引留グリップ１１Ｅ，１１Ｆが取り付けられた状態で、電線用スペーサ８に支持されることとなる。
【００２７】
最後に、引留グリップ１１Ｇの折曲部１１Ａが幹線側電線４に対向するとともに引留グリップ１１Ｇの一対の巻付部１１Ｂが分岐側電柱５の方向に延在するように、引留グリップ１１Ｇを電線用スペーサ８の溝８Ｇに引き回して密着させる。次に、電線用スペーサ８及び分岐側電柱５の間に介在する分岐側電線７Ｗを一対の巻付部１１Ｂの間に配置する。次に、分岐側電線７Ｗに対して一対の巻付部１１Ｂを編み込むように螺旋状に巻き付ける。同様にして、引留グリップ１１Ｈの折曲部１１Ａが分岐側電柱５に対向するとともに引留グリップ１１Ｈの一対の巻付部１１Ｂが幹線側電線４の方向に延在するように、引留グリップ１１Ｈを電線用スペーサ８の溝８Ｈに引き回して密着させる。そして、電線用スペーサ８及び幹線側電線４の間に介在する分岐側電線７Ｗを一対の巻付部１１Ｂの間に配置する。次に、分岐側電線７Ｗに対して一対の巻付部１１Ｂを編み込むように螺旋状に巻き付ける。この取付作業を行うことによって、分岐側電線７Ｗは、電線用スペーサ８における幹線側電線４の側と分岐側電柱５の側との両側に引留グリップ１１Ｇ，１１Ｈが取り付けられた状態で、電線用スペーサ８に支持されることとなる。
【００２８】
このようにして、３相の分岐側電線７は、電線用スペーサ８によって安定的に支持されることとなる。
【００２９】
以上説明したように、本実施形態に係る分岐側電線支持方法は、幹線側電柱２Ａと幹線側電柱２Ａに隣り合う幹線側電柱２Ｂとの間に架設された幹線側電線４（４Ｕ，４Ｖ，４Ｗ）から分岐するとともに分岐側電柱５との間に架設される分岐側電線７（７Ｕ，７Ｖ，７Ｗ）を、メッセンジャワイヤ９Ａ，９Ｂを介して幹線側電柱２Ａと幹線側電柱２Ｂとの間における幹線側電線４の下側に設置される電線用スペーサ８を用いて支持する方法であって、引留グリップ１１Ｄ，１１Ｆ，１１Ｈを、電線用スペーサ８に引き回した後に、幹線側電線４と電線用スペーサ８との間に介在する分岐側電線７Ｕ，７Ｖ，７Ｗに巻き付けて固定する第１行程と、引留グリップ１１Ｃ，１１Ｅ，１１Ｇを、電線用スペーサ８に引き回した後に、分岐側電柱５と電線用スペーサ８との間に介在する分岐側電線７Ｕ，７Ｖ，７Ｗに巻き付けて固定する第２行程と、を含む。
【００３０】
特に、第１行程において、引留グリップ１１Ｄ，１１Ｆ，１１Ｈを、電線用スペーサ８に対してＵ字状に引き回した後に、幹線側電線４と電線用スペーサ８との間に介在する分岐側電線７に対してねじられた形状を呈する両端１１Ｂを編み込むように螺旋状に巻き付けて固定し、第２行程において、引留グリップ１１Ｃ，１１Ｅ，１１Ｇを、電線用スペーサ８に対してＵ字状に引き回した後に、分岐側電柱５と電線用スペーサ８との間に介在する分岐側電線７に対してねじられた形状を呈する両端１１Ｂを編み込むように螺旋状に巻き付けて固定する。
【００３１】
本実施形態によれば、分岐側電線７が動揺に起因して電線用スペーサ８における幹線側電線４の側と分岐側電柱５の側との両側において断線することを防止できる。
【００３２】
又、本実施形態に係る分岐側電線支持方法において、第１行程及び第２行程は、３相の分岐側電線７Ｕ，７Ｖ，７Ｗの夫々に対して行われる。
【００３３】
又、本実施形態に係る分岐側電線支持方法において、引留グリップ１１Ｃ，１１Ｄ、引留グリップ１１Ｅ，１１Ｆ、引留グリップ１１Ｇ，１１Ｈの夫々の組合せを、電線用スペーサ８に対して隣接して引き回す。
【００３４】
又、本実施形態に係る分岐側電線支持方法において、電線用スペーサ８は、高分子材料からなるポリマースペーサである。
【００３５】
又、本実施形態に係る分岐側電線支持方法において、分岐側電線７は、アルミ絶縁電線である。
【００３６】
又、本実施形態に係る分岐側電線支持方法において、幹線側電線４は、３相の配電線であり、分岐側電線７は、３相の幹線側電線４のそれぞれから分岐する３本の分岐線、又は、３相の幹線側電線４の何れか２本から分岐する２本の分岐線である。
【００３７】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３８】
１  配電系統
２Ａ，２Ｂ  幹線側電柱
３Ａ，３Ｂ  腕金
４（４Ｕ，４Ｖ，４Ｗ）  幹線側電線
５  分岐側電柱
６  腕金
７（７Ｕ，７Ｖ，７Ｗ）  分岐側電線
８  電線用スペーサ
８Ａ，８Ｂ  フック
８Ｃ〜８Ｈ  溝
９Ａ，９Ｂ  メッセンジャワイヤ
１０Ａ、１０Ｂ  孔
１１（１１Ｃ〜１１Ｈ）  引留グリップ
【図１】
2017038468.tif 000003
【図２】
2017038468.tif 000004
【図３】
2017038468.tif 000005
【図４】
2017038468.tif 000006
【図５】
2017038468.tif 000007